(57)【要約】【課題】シース先端が挿通チャンネルの未だ中途にあるときに、シース先端から針管の先端が突出することを確実に防止し、内視鏡の挿通チャンネルを有効に保護する。【解決手段】穿刺針装置３０の操作部本体４１内にはロックパイプ６１とロックリング６２とが、スライダ４２内にはスライダパイプ６３が格納されている。ロックパイプ６１は操作部本体４１内で進退自在で、常時、接続部５２側に付勢され、先端部は接続部５２から僅かに突出される。処置具挿入口１５と接続部５２とを固定した際には、ロックパイプ６１の先端が処置具挿入口１５と当接され、押圧されて基端部側に移動自在で、ロックリング６２を拡径しながら嵌入される。ロックリング６２には縮径部６２ｃが形成され、ロックリング６２が通常の拡径ない状態では、縮径部６２ｃにスライダパイプ６３の先端が当接され、スライダパイプ６３の接続部５２方向への移動が規制される。【選択図】図５
2005329078.tif 000002
【特許請求の範囲】
【請求項１】
内視鏡に設けたチャンネル内に挿通するシースと、
上記チャンネルのチャンネル入口部に固定自在で上記シースの基端部を支持する操作部本体と、
上記操作部本体に対して進退自在なスライダと、
上記スライダに固定して上記スライダの上記操作部本体に対する移動により先端部が上記シースの先端から突没自在な上記シース内に挿通する針管と、
上記操作部本体を上記チャンネル入口部に固定した際に、上記シースの先端から上記針管の先端を突出させる上記スライダの上記チャンネル入口部に向けての移動を自在にする移動制限解除手段とを備えたことを特徴とする内視鏡用穿刺針装置。
【請求項２】
上記移動制限解除手段は、上記操作部本体を上記チャンネル入口部に固定した際に、上記チャンネル入口部と当接して上記操作部本体内を上記スライダに向けて移動する第１のパイプ部材と、該第１のパイプ部材の移動により変形する変形部材と、該変形部材の変形により上記チャンネル入口部に向けての移動が自在となる上記スライダに固定した第２のパイプ部材とを備えたことを特徴とする請求項１記載の内視鏡用穿刺針装置。
【請求項３】
上記移動制限解除手段は、上記操作部本体を上記チャンネル入口部に固定した際に、上記チャンネル入口部と当接して上記操作部本体内を上記スライダに向けて移動する第１のパイプ部材と、該第１のパイプ部材の移動により回動する回動部材と、該回動部材の回動により上記チャンネル入口部に向けての移動が自在となる上記スライダに固定した第２のパイプ部材とを備えたことを特徴とする請求項１記載の内視鏡用穿刺針装置。
【請求項４】
上記チャンネルのチャンネル入口部と略同形状のアダプタ手段を有し、
上記移動制限解除手段は、上記アダプタ手段を上記操作部本体に固定した際に、上記シースの先端から上記針管の先端を突出させる上記スライダの上記アダプタ手段に向けての移動を自在にすることを特徴とする請求項１乃至請求項３の何れか一つに記載の内視鏡用穿刺針装置。
【発明の詳細な説明】
【技術分野】
【０００１】
本発明は、特に超音波内視鏡の処置具チャンネル内に挿通し、チャンネル入口部に固定して使用する内視鏡用穿刺針装置に関する。
【背景技術】
【０００２】
従来より、体腔内の患部を検査診断するため、超音波内視鏡により体腔内を観察しながら、穿刺針装置を用いて胃や十二指腸の消化管壁等から、膵臓、肝臓、腎臓等の深部臓器の目的部位に穿刺針を穿刺し、体腔内組織や体液を採取することが行われている。
【０００３】
このような超音波内視鏡に用いられる穿刺針装置として、例えば、特開２００３−１９０１７９号公報に、超音波内視鏡の挿通チャンネルに進退自在に挿通されるシースと、シースの基端部に位置する把持部を兼ねる操作部と、シース内を挿通して体腔内組織に穿刺される針管とを備える超音波内視鏡用の穿刺針装置が開示されている。
【特許文献１】特開２００３−１９０１７９号公報
【発明の開示】
【発明が解決しようとする課題】
【０００４】
ところで、上述の特許文献１に開示されるような穿刺針装置では、穿刺針を内視鏡の挿通チャンネルに挿入する際、針管の先端が挿通チャンネルに傷を付けることを防止するため、シース先端が内視鏡先端から突出したことを確認した後に、シースから針管を突出させて使用するようになっている。
【０００５】
しかしながら、シース先端が内視鏡先端から突出する前、すなわち、シース先端が挿通チャンネルの未だ中途にあるときに、使用者による確認が不十分な場合等において、シース先端から針管を突出させてしまうと、内視鏡の挿通チャンネルに傷を付けてしまう虞がある。
【０００６】
本発明は上記事情に鑑みてなされたもので、シース先端が挿通チャンネルの未だ中途にあるときに、シース先端から針管の先端が突出することを確実に防止し、内視鏡の挿通チャンネルを有効に保護することができる内視鏡用穿刺針装置を提供することを目的とする。
【課題を解決するための手段】
【０００７】
本発明は、内視鏡に設けたチャンネル内に挿通するシースと、上記チャンネルのチャンネル入口部に固定自在で上記シースの基端部を支持する操作部本体と、上記操作部本体に対して進退自在なスライダと、上記スライダに固定して上記スライダの上記操作部本体に対する移動により先端部が上記シースの先端から突没自在な上記シース内に挿通する針管と、上記操作部本体を上記チャンネル入口部に固定した際に、上記シースの先端から上記針管の先端を突出させる上記スライダの上記チャンネル入口部に向けての移動を自在にする移動制限解除手段とを備えたことを特徴としている。
【発明の効果】
【０００８】
本発明による内視鏡用穿刺針装置は、シース先端が挿通チャンネルの未だ中途にあるときに、シース先端から針管の先端が突出することを確実に防止し、内視鏡の挿通チャンネルを有効に保護することが可能となる。
【発明を実施するための最良の形態】
【０００９】
以下、図面に基づいて本発明の実施の形態を説明する。  
図１〜図９は本発明の実施の第１形態を示し、図１は穿刺針装置を取り付けた超音波内視鏡の概略構成図、図２は超音波内視鏡の先端部の構成を説明する斜視図、図３は穿刺針装置の全体構成を説明する断面図、図４は穿刺針装置を超音波内視鏡のチャンネル入口部に固定する前の状態の説明図、図５は穿刺針装置を超音波内視鏡のチャンネル入口部に固定した状態の説明図、図６は穿刺針装置を超音波内視鏡のチャンネル入口部に固定し針管を突出させる状態の説明図、図７は拡径していない状態のロックリングの斜視図、図８は拡径した状態のロックリングの斜視図、図９はロック解除アダプタの斜視図である。
【００１０】
図１において、符号１は超音波内視鏡を示し、この超音波内視鏡１は、体腔内に挿入される細長で可撓性を有する挿入部２と、挿入部２の基端に位置する操作部３と、操作部３の側部から延出するユニバーサルコード４と、ユニバーサルコード４の基端部に設けられ図示しない光源装置に接続される内視鏡コネクタ５と、内視鏡コネクタ５近傍から延出する超音波ケーブル６と、超音波ケーブル６の基端部に設けられ図示しない超音波観測装置に接続される超音波コネクタ７とで主要に構成されている。
【００１１】
挿入部２は、先端側から順に、硬質な樹脂部材で形成した先端硬質部８と、先端硬質部８の後端に位置する湾曲自在な湾曲部９と、湾曲部９の後端に位置して操作部３の先端部に至る細径かつ長尺で可撓性を有する可撓部１０とを連設して構成されている。尚、先端硬質部８の材質としては、耐薬品性や生体適合性が良好なポリスルフォンやポリフェニルスルフォン等が用いられる。
【００１２】
操作部３には湾曲部９を所望の方向に湾曲制御するためののアングルノブ１１と、送気及び送水操作を行うための送気・送水ボタン１２、吸引操作を行うための吸引ボタン１３が設けられている。
【００１３】
また、操作部３の先端部側には、鉗子や穿刺針装置３０等の処置具を体腔内の目的部位に挿入するためのチャンネル入口部としての処置具挿入口１５が設けられており、この処置具挿入口１５からは挿入部２内に処置具挿通用チャンネル１６（図２参照）が形成されている。
【００１４】
処置具挿入口１５を介してこの処置具挿通用チャンネル１６を挿通された穿刺針装置３０等の処置具は、図２に示すように、先端硬質部８に設けられた処置具挿通用チャンネル１６の先端開口壁１７に形成した先端開口１８から突出される。
【００１５】
処置具挿通用チャンネル１６の先端開口１８近傍には鉗子起上台１９が揺動自在に設けられており、操作部３に設けられた鉗子起上レバー（図示せず）により操作可能となっている。鉗子起上レバーを操作することにより鉗子起上台１９が揺動して先端開口１８から突出した組織吸引するための穿刺針装置３０等の処置具が後述の超音波走査面α内を移動される。
【００１６】
図２に示すように、先端硬質部８の先端側には、超音波を送受する複数の圧電素子（図示せず）を配列して構成したコンベックス型の超音波振動子２０が、先端硬質部８に着脱自在に接続されており、挿入部２の長手軸方向に対して平行でかつ矢印で示す扇形の範囲に、例えば約１８０度の走査範囲を持つ超音波走査面αを有している。
【００１７】
この超音波走査範囲は、処置具挿通用チャンネル１６の先端開口１８近傍まで設定されているが、この超音波走査範囲には、先端硬質部８が含まれないように設定されている。また、処置具挿通用チャンネル１６の先端開口１８近傍は、処置具挿通用チャンネル１６の中心軸が超音波走査面αの延長面に含まれるように形成されている。
【００１８】
先端硬質部８の先端斜面部２１には、照明光学系を構成する照明レンズカバー２２や観察光学系を構成する観察用レンズカバー２３、送気・送水ノズル２４が設けられている。
【００１９】
一方、処置具挿入口１５は、図４に示すように、先端側に、穿刺針装置３０を固定するためのネジ山２５が設けられており、このネジ山２５の対向する一部側面は、穿刺針装置３０の後述する接続部５２に設けられた雌ネジ５２ａが螺合自在なように切除されている。
【００２０】
そして、図３に示すように、穿刺針装置３０は、処置具挿通用チャンネル１６内に挿入されるシース３１と、このシース３１の基端部に配置されて把持部を兼ねる操作部３２と、操作部３２を介してシース３１内に進退自在に挿通配置される先端部が鋭利な形状に形成された細長で薄肉の、例えばステンレスパイプで形成された針管３３とで主に構成されている。尚、針管３３内には先端が鋭利な形状のスタイレット３４が挿脱自在に配設される。
【００２１】
また、本実施の形態の穿刺針装置３０は、使い捨てタイプとして構成されている。このため、シース３１を、コスト低減が可能な、ポリエーテルサルホンやテフロン（登録商標）などの樹脂部材で形成している。尚、ポリエーテルサルホンとテフロン（登録商標）とは用途に応じて使い分けられる。
【００２２】
操作部３２は、樹脂部材で形成した操作部本体４１と、この操作部本体４１に対して摺動自在に設けられる樹脂部材で形成したスライダ４２とから主要に構成されている。
【００２３】
操作部本体４１は、細長で基端部にフランジ部５１を形成したパイプ形状であり、先端部には、樹脂製の接続部５２が接着にて固定されている。この接続部５２の先端側には、前述の如く、超音波内視鏡１の処置具挿入口１５のネジ山２５に連結固定される２条ネジ５２ａが形成されており、基端側には操作部本体４１の先端部が嵌入される凹部５２ｂが形成されている。
【００２４】
また、操作部本体４１には、スライダ４２の操作部本体４１に対する摺動距離を測定結果に応じて所望の値に設定可能にするストッパ５３が設けられている。このストッパ５３は、操作部本体４１に対して摺動自在に配置される、例えば樹脂製のストッパ部材５３ａと、ストッパ部材５３ａに螺設されてストッパ部材５３ａを所望の位置に固定する、例えば金属製の固定ネジ５３ｂとで構成されている。
【００２５】
製造、出荷時には、ストッパ５３は、操作部本体４１の基端側に位置されて、固定ネジ５３ｂで所定のトルクで固定されている。このため、スライダ４２は、操作部本体４１の基端側に配置される。そして、この配置状態のとき、針管３３及びスタイレット３４の先端部は、シース３１の先端から突出されることなくシース３１内に配置された状態となっている。
【００２６】
また、操作部本体４１の外周面所定位置には、ストッパ５３を長手方向に摺動移動させる際のガイドとなる摺動溝、及び、ストッパ５３の配置位置を設定する際の目安となる（例えば５ｍｍ間隔の）目盛り（以上、図示せず）が設けられている。
【００２７】
また、シース３１を超音波内視鏡１の処置具挿通用チャンネル１６に挿通し、シース３１の先端を処置具挿通用チャンネル１６の先端開口１８から突出させ、操作部本体４１の接続部５２を処置具挿入口１５に固定して穿刺針装置３０を固定した際には、固定ネジ５３ｂを緩め、ストッパ５３を所望の位置まで摺動させ、再び固定ネジ５３ｂを固定する。これにより、ストッパ５３を移動させた距離の長さだけ、スライダ４２を移動させることが可能になり、針管３３及びスタイレット３４をシース３１の先端から突出させることが可能となる。
【００２８】
スライダ４２は、基端部に細径部４２ａを形成した段付のパイプ形状で形成されており、スライダ４２の外周面所定位置には、把持性を考慮した複数の凹部４２ｂが形成されている。
【００２９】
スライダ４２の先端部には、このスライダ４２を操作部本体４１に対して摺動自在にするための、摺動キャップ５４が接着固定されている。また、スライダ４２の基端部側の開口部には、樹脂製の吸引口金部材５５が配設されている。この吸引口金部材５５の基端部には、スタイレット３４の基端に固定した樹脂製のスタイレット口金部材５６との連結部が形成されており、このスタイレット口金部材５６は、吸引口金部材５５の連結部に着脱自在に取り付けられる構成になっている。
【００３０】
このように構成される穿刺針装置３０の操作部３２には、シース３１の先端から針管３３の先端を突出させるスライダ４２の処置具挿入口１５に向けての移動を自在にする移動制限解除手段が構成されている。
【００３１】
すなわち、操作部本体４１内には、第１のパイプ部材としての長尺のロックパイプ６１と、変形部材としてのロックリング６２とが格納され、スライダ４２内には、第２のパイプ部材としての長尺のスライダパイプ６３が格納されている。
【００３２】
ロックパイプ６１は、操作部本体４１内で、進退自在に設けられており、常時、操作部本体４１内に格納されたコイルスプリング６４によりロックパイプ６１の中途に形成した鍔部６１ａを介して接続部５２側に付勢されている。こうして、ロックパイプ６１の先端部は、接続部５２から僅かに突出されている。そして、処置具挿入口１５と接続部５２とを螺合し、固定した際には、ロックパイプ６１の先端が処置具挿入口１５と当接され、押圧されて基端部側に移動自在になっている。
【００３３】
また、ロックパイプ６１の先端には、シース３１の基端部を固定する細経の円筒接続部材６５が固設されている。
【００３４】
ロックパイプ６１の基端部は、次第に細経となるテーパ部６１ｂが形成されており、ロックリング６２の先端の内側に、ロックリング６２を拡径しながら嵌入自在になっている。
【００３５】
ロックリング６２は、図７及び図８に示すように、先端側（ロックパイプ６１側）から複数（本実施の形態では３つ）の縦スリット６２ａが形成されており、ロックリング６２が嵌入されることにより容易に拡径される。そして、ロックパイプ６１が、ロックリング６２を拡径しながら嵌入される部位には、ロックパイプ６１のテーパ部６１ｂに対応したテーパ部６２ｂが形成されており、これらテーパ部６１ｂ，６２ｂの摺動面は、滑りやすいような表面粗さに形成されている。
【００３６】
また、ロックリング６２の中央やや先端よりの部位には、縮径部６２ｃが形成されており、ロックリング６２が通常の拡径されていない状態において、この縮径部６２ｃにスライダパイプ６３の先端が当接されて、スライダパイプ６３が接続部５２方向への移動が規制されるように形成されている。そして、ロックパイプ６１が処置具挿入口１５と当接され、ロックパイプ６１が最大限基端部側に移動され、ロックリング６２を最大限拡径した状態で、スライダパイプ６３が縮径部６２ｃによる移動規制から解除され、スライダパイプ６３は、ロックリング６２内を通過可能となっている。
【００３７】
スライダパイプ６３は、吸引口金部材５５の先端部に針管３３の外側に一体的に設けられており、先端側が操作部本体４１の基端側に配設されたＯリング５７を介して支持されている。
【００３８】
上述のように構成された穿刺針装置３０は、各構成部材を組み立てた後、滅菌消毒して、図示しない滅菌袋に収納される。この収納状態のとき、ストッパ５３が初期位置である操作部本体４１の基端側に配置されているので、シース３１の先端から針管３３又はスタイレット３４の先端が突出して滅菌袋に不具合が生じること等が防止されている。
【００３９】
上述のように構成した使い捨てタイプの穿刺針装置３０の作用を説明する。  
まず、滅菌袋に収納されている穿刺針装置３０を取り出す。そして、超音波内視鏡１の処置具挿通用チャンネル１６にシース３１を挿入し、処置具挿入口１５に操作部本体４１の接続部５２を螺合し、操作部本体４１を処置具挿入口１５に確実に固定する。操作部本体４１が処置具挿入口１５に接続される直前の穿刺針装置３０の内部の状態を図４に示す。
【００４０】
この固定により、図５に示すように、処置具挿入口１５は、ロックパイプ６１の先端と当接され、更に、ロックパイプ６１を押圧して、ロックパイプ６１を基端部側に移動させる。すると、ロックパイプ６１の基端側は、テーパ部６１ｂがロックリング６２の先端の内側に、ロックリング６２を拡径しながら嵌入される。そして、略、操作部本体４１と処置具挿入口１５との接続を完了する位置近傍において、ロックリング６２の縮径部６２ｃの径は、スライダパイプ６３を通過させるのに十分な径に拡径して、スライダパイプ６３の移動規制を解除した状態となる。
【００４１】
尚、ロックパイプ６１が移動される前、すなわち、図４に示すように、処置具挿入口１５と操作部本体４１の接続部５２とが接続されていない状態、或いは、接続が不十分な状態においては、ロックリング６２の縮径部６２ｃは、拡径されない状態、或いは、拡径が小さな値となっている。このため、スライダ４２が先端側に移動する力を受けても、スライダパイプ６３がロックリング６２の縮径部６２ｃにより、操作部本体４１側への移動が規制されるので、スライダ４２と共に移動する針管３３及びスタイレット３４の先端がシース３１の先端から突出することがない。従って、シース３１先端が超音波内視鏡１の処置具挿通用チャンネル１６の未だ中途にあるときに、シース３１先端から針管３３の先端が突出することが確実に防止され、超音波内視鏡１の処置具挿通用チャンネル１６を有効に保護することが可能となっている。
【００４２】
こうして、操作部本体４１の接続部５２を螺合し、操作部本体４１を処置具挿入口１５に確実に固定すると、目的部位が表示されている超音波観察画像上にシース３１の先端部の超音波画像が明瞭に描出される。ここで、シース３１の先端と目的部位との位置関係を設定し、その後、シース３１の先端と目的部位との距離の測定を行う。
【００４３】
次に、ストッパ５３の固定ネジ５３ｂを緩め、距離に対応するように、ストッパ部材５３ａを操作部本体４１の外周面に設けられた目盛りを参考にして、操作部本体４１上を摺動させ、所定位置まで移動したならば、再び固定ネジ５３ｂを締結する。
【００４４】
この後、術者は、スライダ４２を把持し、このスライダ４２をストッパ５３に向けて素早く移動させる。このときの、穿刺針装置３０の内部の状態を図６に示す。このことによって、針管３３及びスタイレット３４の先端が目的部位に確実に穿刺される。
【００４５】
そして、針管３３が目的部位まで到達したことを確認した後、スタイレット口金部材５６と共にスタイレット３４を吸引口金部材５５から引き抜き、その後、この吸引口金部材５５の連結部に図示しないシリンジ等を接続して体腔内組織の吸引を行う。
【００４６】
この吸引により、針管３３内へ体腔内組織が入り込む。  
その後、再び、スライダ４２を操作部本体４１の基端側にスライドし、針管３３をシース３１内に収納し、超音波内視鏡１の処置具挿入口１５と穿刺針装置３０の接続部５２との連結を解いて、超音波内視鏡１の処置具挿通用チャンネル１６からシース３１を引き抜く。そして、針管３３内に吸引された体腔内組織をプレパラート等に取り出し、検査することにより深部組織部位の生検が達成される。この検査終了後、穿刺針装置３０は廃棄する。
【００４７】
尚、針管３３内に吸引された体腔内組織をプレパラート等に取り出す際や、穿刺針装置３０の動作をチェックするため、敢えて、針管３３の先端をシース３１の先端から突出したい場合がある。
【００４８】
このため、例えば、図９に示すような、アダプタ手段としてのアダプタ７０が用意されている。
【００４９】
すなわち、アダプタ７０は、処置具挿入口１５の形状と略同様の形状に形成されており、先端側に、穿刺針装置３０の接続部５２と固定するためのネジ山７１が設けられており、このネジ山７１の対向する一部側面は、穿刺針装置３０の接続部５２に設けられた雌ネジ５２ａが螺合自在なように切除されている。
【００５０】
また、アダプタ７０は、横から針管３３を収容できるように、縦にスリット７２が設けられている。更に、アダプタ７０には、術者の使い勝手を向上するため、基端側に取っ手７３が設けられている。
【００５１】
従って、このアダプタ７０を用いることにより、超音波内視鏡１の処置具挿入口１５と穿刺針装置３０の接続部５２とを接続していないときであっても、例えば、針管３３内に吸引された体腔内組織をプレパラート等に取り出す際や、穿刺針装置３０の動作をチェックする際に、針管３３の先端をシース３１の先端から突出させることができ、利便性が大きく向上できるようになっている。
【００５２】
次に、図１０は本発明の実施の第２形態による、移動制限解除手段の構成説明図である。尚、本実施の第２形態は、前記第１形態とは、移動制限解除手段のみ異なり他の部分の説明は、同じ構成には同じ符号を記し、或いは、説明を省略する。
【００５３】
すなわち、操作部本体４１内には、第１のパイプ部材としての長尺のロックパイプ８１と、回動部材としてのロックリング８２とが格納され、スライダ４２内には、第２のパイプ部材としての長尺のスライダパイプ８３が格納されている。
【００５４】
ロックパイプ８１は、操作部本体４１内で、進退自在に設けられており、常時、操作部本体４１内に格納されたコイルスプリング６４によりロックパイプ８１の中途に形成した鍔部８１ａを介して接続部５２側に付勢されている。こうして、ロックパイプ８１の先端部は、接続部５２から僅かに突出されている。そして、処置具挿入口１５と接続部５２とを螺合し、固定した際には、ロックパイプ８１の先端が処置具挿入口１５と当接され、押圧されて基端部側に移動自在になっている。
【００５５】
ロックパイプ８１は、操作部本体４１内で回動が規制されて配設されている。また、ロックパイプ８１の内径は、ロックリング８２の外径より大きく形成されており、処置具挿入口１５と接続部５２との結合に伴うロックパイプ８１の基端側への移動により、ロックパイプ８１は、ロックリング８２に対して外挿自在となっている。
【００５６】
更に、ロックパイプ８１の基端部には、予め設定した位置に、カムピン８１ｂが内側に向けて突設されている。そして、このカムピン８１ｂは、ロックリング８２の外側表面に形成したカム溝８２ａ内に摺動自在に構成されている。
【００５７】
ロックリング８２は、中央に略楕円形状のスライダパイプ８３を挿通する挿通孔８２ｂが形成されており、カムピン８１ｂが位置されるカム溝８２ａの初期位置は、例えば、挿通孔８２ｂの略長軸側の一方の側の部位に形成されている。そして、カム溝８２ａの基端側の位置は、略９０度捩れた位置、すなわち、挿通孔８２ｂの短軸側の一方の側の位置に至るまで形成されている。
【００５８】
従って、カムピン８１ｂが、処置具挿入口１５と接続部５２との結合に伴うロックパイプ８１の基端側への移動により移動されると、ロックリング８２は、ロックパイプ８１に対して相対的に９０度回動されることになる。
【００５９】
スライダパイプ８３は、吸引口金部材５５の先端部に針管３３の外側に一体的に設けられており、先端側が操作部本体４１の基端側に配設されたＯリング５７を介して支持されている。そして、スライダパイプ８３の外形形状は、処置具挿入口１５と接続部５２との結合に伴うロックパイプ８１の基端側への移動により、ロックリング８２がロックパイプ８１に対して相対的に９０度回動された位置で、はじめてロックリング８２の楕円形状の挿通孔８２ｂ内を挿通可能となる楕円形状に形成されている。
【００６０】
このように、本実施の第２形態による移動制限解除手段は構成されるため、超音波内視鏡１の処置具挿通用チャンネル１６にシース３１を挿入し、処置具挿入口１５に操作部本体４１の接続部５２を螺合し、操作部本体４１を処置具挿入口１５に確実に固定すると、処置具挿入口１５は、ロックパイプ８１の先端と当接され、更に、ロックパイプ８１を押圧して、ロックパイプ８１を基端部側に移動させる。
【００６１】
すると、ロックパイプ８１のカムピン８１ｂの基端側への移動により、ロックリング８２がカム溝８２ａの形状により９０度回動される。そして、この回動により、ロックリング８２の楕円形状の挿通孔８２ｂの向きも９０度回動されて、スライダパイプ８３の移動が可能な状態となる。こうして、術者はスライダ４２を先端側に移動させ、所望の生検を実行するのである。
【００６２】
尚、ロックパイプ８１が移動される前、すなわち、処置具挿入口１５と操作部本体４１の接続部５２とが接続されていない状態、或いは、接続が不十分な状態においては、ロックリング８２は回動されていない。従って、スライダ４２が先端側に移動する力を受けても、スライダパイプ８３がロックリング８２の基端側の面に突き当たり、操作部本体４１側への移動が規制されるので、スライダ４２と共に移動する針管３３及びスタイレット３４の先端がシース３１の先端から突出することがない。このため、前記第１形態と同様、シース３１先端が超音波内視鏡１の処置具挿通用チャンネル１６の未だ中途にあるときに、シース３１先端から針管３３の先端が突出することが確実に防止され、超音波内視鏡１の処置具挿通用チャンネル１６を有効に保護することが可能となっている。
【００６３】
尚、その他の構成作用は、前記第１形態と同様である。  
尚、上述の各実施形態の穿刺新装置では、使い捨てタイプの例で説明しているが、使用後に滅菌するタイプのものに対しても適用できることは云うまでもない。
【００６４】
また、上述の各実施形態では、超音波内視鏡に適用する穿刺新装置を例に説明したが、内視鏡は超音波内視鏡に限定するものではない。
【図面の簡単な説明】
【００６５】
【図１】本発明の実施の第１形態による、穿刺針装置を取り付けた超音波内視鏡の概略構成図
【図２】同上、超音波内視鏡の先端部の構成を説明する斜視図
【図３】同上、穿刺針装置の全体構成を説明する断面図
【図４】同上、穿刺針装置を超音波内視鏡のチャンネル入口部に固定する前の状態の説明図
【図５】同上、穿刺針装置を超音波内視鏡のチャンネル入口部に固定した状態の説明図
【図６】同上、穿刺針装置を超音波内視鏡のチャンネル入口部に固定し針管を突出させる状態の説明図
【図７】同上、拡径していない状態のロックリングの斜視図
【図８】同上、拡径した状態のロックリングの斜視図
【図９】同上、アダプタの斜視図
【図１０】本発明の実施の第２形態による、移動制限解除手段の構成説明図
【符号の説明】
【００６６】
１    超音波内視鏡
２    挿入部
８    先端硬質部
１５    処置具挿入口（チャンネル入口部）
１６    処置具挿通用チャンネル
３０    穿刺針装置
３１    シース
３２    操作部
３３    針管
４１    操作部本体
４２    スライダ
５２    接続部
５３    ストッパ
６１    ロックパイプ（第１のパイプ部材、移動制限解除手段）
６１ｂ  テーパ部
６２    ロックリング（変形部材、移動制限解除手段）
６２ａ  スリット
６２ｂ  テーパ部
６２ｃ  縮径部
６３    スライダパイプ（第２のパイプ部材、移動制限解除手段）
６４    コイルスプリング
７０    アダプタ（アダプタ手段）
代理人    弁理士    伊  藤    進
【図１】
2005329078.tif 000003
【図２】
2005329078.tif 000004
【図３】
2005329078.tif 000005
【図４】
2005329078.tif 000006
【図５】
2005329078.tif 000007
【図６】
2005329078.tif 000008
【図７】
2005329078.tif 000009
【図８】
2005329078.tif 000010
【図９】
2005329078.tif 000011
【図１０】
2005329078.tif 000012